(57)【要約】【課題】駆動回路やモーター等に代表される高インピーダンス負荷システムのサージ抑制ケーブルに使用され、不要サージによるシステムの寿命劣化を抑えることはもとより、サージによるノイズ発生の低減化をはかることにより、経済性、操作性、生産性及び実用性に優れ、幅広い応用が可能である。【解決手段】高域対応を可能にする代表的な実施例としては、導体の上に抵抗増加等を大きくするめっき等で被覆し、その上に高誘電率絶縁体等を施した絶縁心線からなる主線の周りに、前記主線と同一構造にした上に更にシールドを施した絶縁心線からなる補助線を長手方向に巻き付け、その際、補助線の長さを調節することにより、反射を意図的に発生させ、反射によりサージの特定周波数成分を打ち消すことにより、サージを押さえる反射型サージ抑制ケーブルである。【選択図】図１
2005032663.tif 000002
【特許請求の範囲】
【請求項１】
導体の上に絶縁体を施した絶縁心線からなる主線の周りに、導体の上に絶縁体を施した絶縁心線の上にシールドを設けた補助線を長手方向に巻き付けたもの或いは主線に対して補助線を外部に出して分離したことを特徴とする反射型サージ抑制ケーブル。
【請求項２】
請求項１において、補助線を長手方向に巻き付けるかまたは外部に出して分離する際、補助線の長さを調節して反射を意図的に発生させ、反射によりサージの特定周波数成分を打ち消すことにより、サージを押さえることを特徴とする反射型サージ抑制ケーブル。
【請求項３】
請求項１、請求項２の主線と補助線において、導体の上に、更に高域ノイズ劣化促進及び抵抗増加とインダクタンスの増加或いはその何れかを大きくする為に導電材またはめっきで被覆したことを特徴とする反射型サージ抑制ケーブル。
【請求項４】
請求項１、請求項２の主線と補助線において、絶縁体として高域ノイズ劣化促進の為、高誘電率絶縁体と高誘電体損失絶縁体或いはその何れかを適用したことを特徴とする反射型サージ抑制ケーブル。
【請求項５】
請求項１、請求項２、請求項３、請求項４の各組み合わせからなることを特徴とする反射型サージ抑制ケーブル
【発明の詳細な説明】
【技術分野】
【０００１】
本発明は、駆動回路、伝送ケーブル、モーターに代表される高インピーダンス負荷システムのサージ抑制ケーブルに使用され、インピーダンスミスマッチにより生じるサージ(不整合反射による不要高電圧波形)をケーブル自体で抑制することにより、伝送品質劣化の改善は勿論のこと、ケーブル、接続機器等の絶縁劣化による寿命低下及びサージによるノイズ発生の低減化をはかることにより、経済性、操作性、生産性及び実用性に優れ、幅広い応用が可能な反射型サージ抑制ケーブルに関する。
【背景技術】
【０００２】
従来、ケーブルの特性インピーダンスを出力系及び負荷のインピーダンスに整合させることによりサージ発生を抑制出来ることになるが、使用機器、システムにより負荷のインピーダンスは千差万別であることや、同一インピーダンスで整合させたつもりでも整合部品或いはケーブルのインピーダンス偏差、周波数依存性からサージやリンギング（スイッチング回路において、動作または復旧時に漂遊容量と残留インダクタンスまたは反射等によって発生する振動現象）が発生し、信号品質を著しく劣化させる原因となっている。このような状況は伝送系だけでなく、駆動系でも高速化に伴い同様な問題が発生している。特に、負荷がモーターの場合は、通常の伝送系からみると掛け離れた大きなインピーダンス（５００Ω以上）になることから、整合させたケーブル作製は困難を極めている。現状は、ＣとＬによるフィルタを挿入したり、出力回路の立ち上がり時間を緩やかにすることによりサージレベルを抑えたり、適用ケーブルの長さをサージレベルの影響が小さい範囲で使用するといった方策が採られている。しかしながら、出力回路の立ち上がり時間を抑えたり、使用ケーブル長を限定するといった方策は、市場ニーズに合致しない。また、フィルタリングの適用は余計な部材が必要となり、特に負荷系が大きな電力を必要とされる場合は実装スペースも大きな課題となっている。
【０００３】
これらの技術的課題を解決する為に、我々は、３条の絶縁心線の各々にシールドを施して独立した３心の同軸構成とし、残りの１条をＧＮＤ線として導体を適用して全体を集合撚りしたものの上にシースを施した構造を発明することにより、有る程度上記従来技術を解決することが可能になったが、サージ抑制率がまだ充分ではないという課題があった。
【特許文献１】特願２００２−１５５６６８号公報
【発明の開示】
【発明が解決しようとする課題】
【０００４】
解決しようとする問題点は、不要サージによるモーターの絶縁劣化等によるシステムの寿命劣化を抑えることはもとより、サージによるノイズによる放射の低減化がはかれ、経済性、操作性、生産性及び実用性に優れた反射型サージ抑制ケーブルを提供しようとするものである。
【課題を解決するための手段】
【０００５】
本発明は、本発明は、これらの問題を解決するために、鋭意検討した結果、
第１実施例としては、導体の上に絶縁体を施した絶縁心線からなる主線の周りに、導体の上に絶縁体を施した絶縁心線の上にシールドを設けた補助線を長手方向に巻き付けたもの或いは主線に対して補助線を外部に出して分離した反射型サージ抑制ケーブルで、
第２実施例としては、第１実施例において、補助線を長手方向に巻き付けるかまたは外部に出して分離する際、補助線の長さを調節して反射を意図的に発生させ、反射によりサージの特定周波数成分を打ち消すことにより、サージを押さえる反射型サージ抑制ケーブルで、
第３実施例としては、第１実施例、第２実施例の主線と補助線において、導体の上に、更に高域ノイズ劣化促進及び抵抗増加とインダクタンスの増加或いはその何れかを大きくする為に導電材またはめっきで被覆した反射型サージ抑制ケーブルで、
第４実施例としては、第１実施例、第２実施例の主線と補助線において、絶縁体として高域ノイズ劣化促進の為、高誘電率絶縁体と高誘電体損失絶縁体或いはその何れかを適用した反射型サージ抑制ケーブルで、
第５実施例としては、第１、第２、第３、第４実施例の各組み合わせからなる構造である。
【発明の効果】
【０００６】
本発明の反射型サージ抑制ケーブルを、高速で制御が必要なモーター負荷に代表される高インピーダンス負荷に適用することにより、不要サージをなくすことが出来るばかりでなく、サージによるノイズ放射の低減化がはかれ、経済性、操作性、生産性及び実用性、高スペース性に優れ、幅広い応用が可能になる。
【発明を実施するための最良の形態】
【０００７】
以下、本発明の反射型サージ抑制ケーブル１の実施例を添付図面を参照して詳細に説明する。
【実施例１】
【０００８】
始めに、第１実施例について説明すると、図面には示さないが、導体の上に絶縁体を施した絶縁心線からなる主線の周りに、導体の上に絶縁体を施した絶縁心線の上にシールドを設けた補助線を長手方向に巻き付けた反射型サージ抑制ケーブル構造である。或いは、一つのケーブルにまとめないで、主線に対して補助線を外部に出して分離した構造にしても構わない。ここで、導体としては、代表的な亜鉛等を含有する銅線等が挙げられる。また、絶縁体としては、代表的なＰＥ、ＰＶＣ、ＰＶＤＦ等が挙げられる。
【実施例２】
【０００９】
第２実施例としては、第１実施例において、補助線を長手方向に巻き付けるかまたは外部に出して分離する際、補助線の長さを調節して反射を意図的に発生させ、反射によりサージの特定周波数成分を打ち消すことにより、サージを押さえる構造である。
【実施例３】
【００１０】
第３実施例としては、第１実施例、第２実施例の主線と補助線において、導体の上に、更に高域ノイズ劣化促進及び抵抗増加とインダクタンスの増加或いはその何れかを大きくする為に導電材またはめっきで被覆した構造である。ここで、導電材やめっき材としては銅に比べ導体抵抗が大きく、複素透磁率の大きな材料、例えば代表的なＮｉめっき等が挙げられる。
【実施例４】
【００１１】
第４実施例としては、第１実施例、第２実施例の主線と補助線において、絶縁体として高域ノイズ劣化促進の為、高誘電率絶縁体と高誘電体損失絶縁体或いはその何れかを適用した構造である。 ここで、高誘電率と高誘電体損失の絶縁材料を併せ持ったものの代表例としては弗化ビニリデン等が挙げられる。
【実施例５】
【００１２】
第５実施例としては、第１、第２、第３、第４実施例の各組み合わせからなる構造である。
【００１３】
以上の内、代表的な実施例を挙げて図面で説明する。図１（イ）は、本発明の反射型サージ抑制ケーブル1の代表的な実施例の断面図で、図１（ロ）は、本発明の反射型サージ抑制ケーブル1の代表的な実施例の側面図である。図から明らかなように、導体の上に抵抗増加とインダクタンスの増加或いはその何れかを大きくする為に導電材またはめっきで被覆し、その上に高誘電率絶縁体と高誘電体損失絶縁体或いはその何れかを施した絶縁心線からなる主線の周りに、導体上に抵抗増加とインダクタンスの増加或いはその何れかを大きくする為に導電材またはめっきで被覆し、その上に高誘電率絶縁体と高誘電体損失絶縁体或いはその何れかを施した補助線を長手方向に巻き付け、その際、補助線の長さを調節することにより、反射を意図的に発生させ、反射によりサージの特定周波数成分を打ち消すことにより、サージを押さえ、高域対応を可能にする反射型サージ抑制ケーブルである。尚、ケーブル構造は単心、２心、同軸線、フラットケーブル、ツイストペア線等一般のケーブル構成のすべてに適応することが出来る。
【００１４】
以上のような構造であるので、本発明の反射型抑制ケーブル１について、反射効果利用によるサージ抑制の原理と接続状態を示す説明図を図２に示す。図から明らかなように、主線と補助線の導体を接続する。この様な接続状態により、反射を意図的に発生させ、かつ補助線の長さ（特性）により特定の周波数が反射により打ち消される。すなわち、補助線の長さ（特性）を調節して周波数成分を打ち消すことにより、サージを抑制することが可能になる。次に、本発明の反射型サージ抑制ケーブル１について、主線２と補助線７の長さと反射周波数との関係説明図を以下の表１に示す。
【００１５】
【表１】
2005032663.tif 000003
【００１６】
本実施例は、主線２を４０ｍに統一し、補助線７を１０〜８０ｍに変えた場合の例で、補助線の長さ（特性）により、反射位置をサージ周波数に合わせれば良いことがわかる。
【００１７】
次に、ケーブル１０ｍにおける本発明の反射型サージ抑制ケーブルと従来ケーブルのサージ波形比較結果を以下の表２に示す。
【００１８】
【表２】
2005032663.tif 000004
【００１９】
このことから、従来のケーブルは、モーター負荷により大きな反射影響が発生しているのに対し、本発明ケーブルは、モーター負荷による反射影響がケーブル単体での高域フィルタリング効果により発生しないことがわかる。最後に、ケーブル４０ｍにおける本発明の反射型サージ抑制ケーブルと従来ケーブルのサージ波形比較結果を以下の表３に示す。
【００２０】
【表３】
2005032663.tif 000005
【００２１】
このことから、ケーブル４０ｍの場合もケーブル１０ｍの場合と同様に良好な結果を示していることがわかる。
【００２２】
本発明の実施例では、１条の絶縁心線を代表例に取り説明したが、絶縁心線の条数は、これに限るものではない。また、絶縁体の材料としては、代表的なＰＥを、シールドとしては代表的な編組シールドを、高誘電率と高誘電体損失を併せ持った絶縁材料として代表的な弗化ビニリデンを挙げたが、これに限るものではない。更に、信号導体のめっきの場合、Ｎｉを適用材料として取り上げたが、これに限るものではない。また、主線と補助線の構造がシールド８を除けば同一構造のもの同士で説明をしたが、必ずしも同一でなく、多少の変形したもの同士でも構わない。更に、補助線は、外側にシールドを施したものの方が好ましいが、シールドのないものでも不可能ということはない。この様に本発明は各種の変形を含むものであることはいうまでもない。
【産業上の利用可能性】
【００２３】
駆動回路、伝送ケーブル、モーターに代表される高インピーダンス負荷システムのサージ抑制ケーブルに適用され、インピーダンスミスマッチにより生じるサージをケーブル自体で抑制することにより、伝送品質劣化の改善は勿論のこと、ケーブル、接続機器等の絶縁劣化による寿命低下及びサージによるノイズ発生の低減化をはかることにより、経済性、操作性、生産性及び実用性に優れ、幅広い応用が可能である。
【図面の簡単な説明】
【００２４】
【図１】（イ）本発明の反射型サージ抑制ケーブル1の代表的な実施例の断面図である。図１（ロ）本発明の反射型サージ抑制ケーブル1の代表的な実施例の側面図である。
【図２】本発明の反射型サージ抑制ケーブル1について、反射効果利用によるサージ抑制の原理と接続状態を示す説明図である。
【符号の説明】
【００２５】
１    本発明の反射型サージ抑制ケーブル  
２    主  線
３Ａ  絶縁心線
３Ｂ  絶縁心線
４Ａ  導体
４Ｂ  導体
５Ａ  導電材またはめっき
５Ｂ  導電材またはめっき
６Ａ  高誘電率絶縁体または高誘電体損失絶縁体
６Ｂ  高誘電率絶縁体または高誘電体損失絶縁体
７    補助線
８    シールド
【図１】
2005032663.tif 000006
【図２】
2005032663.tif 000007
【手続補正書】
【提出日】平成15年7月24日(2003.7.24)
【手続補正１】
【補正対象書類名】特許請求の範囲
【補正対象項目名】全文
【補正方法】変更
【補正の内容】
【特許請求の範囲】
【請求項１】
導体の上に絶縁体を施した絶縁心線または前記絶縁心線の上に、更に、シールドを設けた絶縁シールド心線からなる主線及び、導体の上に絶縁体を施した絶縁心線または前記絶縁心線の上に、更に、シールドを設けた補助線をそれぞれ形成し、前記主線と補助線を分離または統合した組み合わせ構造からなることを特徴とする反射型サージ抑制ケーブル。
【請求項２】
導体の上に絶縁体を施した絶縁心線または前記絶縁心線の上に、更に、シールドを設けた絶縁シールド心線からなる主線の周りに、導体の上に絶縁体を施した絶縁心線または前記絶縁心線の上に、更に、シールドを設けた補助線を長手方向に巻き付けたことを特徴とする反射型サージ抑制ケーブル。
【請求項３】
請求項１及び請求項２において、主線と補助線を分離または統合した組み合わせ構造或いは長手方向に巻き付けた際、補助線の長さを調節して反射を意図的に発生させ、反射によりサージの特定周波数成分を打ち消すことにより、サージを押さえることを特徴とする反射型サージ抑制ケーブル。
【請求項４】
請求項１、請求項２、請求項３の主線と補助線において、導体の上に、更に高域ノイズ劣化促進及び抵抗増加とインダクタンスの増加或いはその何れかを大きくする為に導電材またはめっきで被覆したことを特徴とする反射型サージ抑制ケーブル。
【請求項５】
請求項１、請求項２、請求項３の主線と補助線において、絶縁体として高域ノイズ劣化促進の為、高誘電率絶縁体と高誘電体損失絶縁体或いはその何れかを適用したことを特徴とする反射型サージ抑制ケーブル。
【請求項６】
請求項１、請求項２、請求項３、請求項４、請求項５の各組み合わせからなるもの或いは前記各組み合わせの上に、更にシールドを施したことを特徴とする反射型サージ抑制ケーブル。